(57)【要約】【課題】  配管を収容するフレームと、フレームの前面を覆う上下二分割の前面板と、上下方向位置調整可能にフレームに取り付けられて下側前面板を支持する支持部材とを備える配管ユニットであって、保守点検作業に掛かる手間が従来に比べて少ない配管ユニットを提供する。【解決手段】  配管を収容するフレームと、フレームの前面を覆う上下二分割の前面板と、上下方向位置調整可能にフレームに取り付けられて下側前面板を支持する支持部材とを備え、下側前面板は前方へ水平に取り外し可能に支持部材に係止される。【選択図】  図１
2006299529.tif 000002
【特許請求の範囲】
【請求項１】
配管を収容するフレームと、フレームの前面を覆う上下二分割の前面板と、上下方向位置調整可能にフレームに取り付けられて下側前面板を支持する支持部材とを備え、下側前面板は前方へ水平に取り外し可能に支持部材に係止されることを特徴とする配管ユニット。
【請求項２】
支持部材が有する凹部に下側前面板が有する凸部が弾性嵌合することにより、下側前面板が支持部材に係止されることを特徴とする請求項１に記載の配管ユニット。
【請求項３】
支持部材が有する凸部に下側前面板が有する凹部が弾性嵌合することにより、下側前面板が支持部材に係止されることを特徴とする請求項１に記載の配管ユニット。
【請求項４】
一つの支持部材が複数の凹部を有し、下側前面板が前記複数の凹部に弾性嵌合する複数の凸部を有することを特徴とする請求項２に記載の配管ユニット。
【請求項５】
一つの支持部材が複数の凸部を有し、下側前面板が前記複数の凸部に弾性嵌合する複数の凹部を有することを特徴とする請求項３に記載の配管ユニット。
【請求項６】
一つの下側前面板に対応して一つの支持部材が配設され、支持部材は下側前面板を係止する複数の係止部を有することを特徴とする請求項１乃至５の何れか１項に記載の配管ユニット。
【発明の詳細な説明】
【技術分野】
【０００１】
本発明は、配管ユニットに関するものである。
【背景技術】
【０００２】
配管を収容するフレームと、フレームの前面を覆う上下二分割の前面板と、上下方向位置調整可能にフレームに取り付けられて下側前面板を支持する支持部材とを備える配管ユニットが特許文献１に開示されている。
支持部材の上下方向位置が微調整されることにより、側方に隣接する下側前面板に対して対象下側前面板の上下方向位置が微調整される。
【特許文献１】特開平８−１３５１３５
【発明の開示】
【発明が解決しようとする課題】
【０００３】
特許文献１の配管ユニットにおいては、下側前面板は上方移動を前提条件として前方へ水平に取り外し可能に支持部材に係止されているので、配管の保守点検時に下側前面板を取り外す際に、上側前面板に通常取り付けられている洗面器等の衛生設備を上側前面板から取り外し、下側前面板の上縁に下縁が当接する上側前面板を取り外し、下側前面板を上方移動させ、次いで前方へ水平に移動させる必要があり、保守点検作業に手間が掛るという問題がある。
本発明は上記課題に鑑みてなされたものであり、配管を収容するフレームと、フレームの前面を覆う上下二分割の前面板と、上下方向位置調整可能にフレームに取り付けられて下側前面板を支持する支持部材とを備える配管ユニットであって、保守点検作業に掛かる手間が従来に比べて少ない配管ユニットを提供することを目的とする。
【課題を解決するための手段】
【０００４】
上記課題を解決するために、本発明においては、配管を収容するフレームと、フレームの前面を覆う上下二分割の前面板と、上下方向位置調整可能にフレームに取り付けられて下側前面板を支持する支持部材とを備え、下側前面板は前方へ水平に取り外し可能に支持部材に係止されることを特徴とする配管ユニットを提供する。
本発明に係る配管ユニットにおいては、下側前面板は前方へ水平に取り外し可能に支持部材に係止されるので、保守点検時に下側前面板を取り外す際に、下側前面板に先立って上側前面板を取り外す必要が無く、上側前面板から衛生設備を取り外す必要も無い。従って、本発明に係る配管ユニットにおいては、保守点検作業に掛かる手間が従来に比べて少ない。
【０００５】
本発明の好ましい態様においては、支持部材が有する凹部に下側前面板が有する凸部が弾性嵌合することにより、下側前面板が支持部材に係止される。
本発明の好ましい態様においては、支持部材が有する凸部に下側前面板が有する凹部が弾性嵌合することにより、下側前面板が支持部材に係止される。
下側前面板を前方へ水平に取り外し可能に支持部材に係止する手段として、支持部材が有する凹部に下側前面板が有する凸部を弾性嵌合させても良く、支持部材が有する凸部に下側前面板が有する凹部を弾性嵌合させても良い。
【０００６】
本発明の好ましい態様においては、一つの支持部材が複数の凹部を有し、下側前面板は前記複数の凹部に弾性嵌合する複数の凸部を有する。
本発明の好ましい態様においては、一つの支持部材が複数の凸部を有し、下側前面板は前記複数の凸部に弾性嵌合する複数の凹部を有する。
下側前面板をフレームに安定的に取り付けるために、複数の凹部又は凸部をフレーム側に配設し、前記凹部又は凸部に弾性嵌合する複数の凸部又は凹部を下側前面板側に配設する必要がある。一つの支持部材が一つの凹部又は凸部を有する場合には、凹部又は凸部と同数の支持部材の上下方向位置を調整する必要があるが、一つの支持部材が複数の凹部又は凸部を有する場合には、凹部又は凸部よりも少数の支持部材の上下方向位置を調整すれば良いので、一つの支持部材が一つの凹部又は凸部を有する場合に比べて、支持部材の上下方向位置の調整手間が減り、配管ユニットの設置作業が容易になる。
【０００７】
本発明の好ましい態様においては、一つの下側前面板に対応して一つの支持部材が配設され、支持部材は下側前面板を係止する複数の係止部を有する。
下側前面板を係止する複数の係止部を有する支持部材を、一つの下側前面板に対応して一つ配設すれば、最小の手間で下側前面板の上下方向位置調整を行なうことができ、且つ下側前面板をフレームに安定的に取り付けることができる。
【発明の効果】
【０００８】
本発明に係る配管ユニットにおいては、下側前面板は前方へ水平に取り外し可能に支持部材に係止されるので、保守点検時に下側前面板を取り外す際に、下側前面板に先立って上側前面板を取り外す必要が無く、上側前面板から衛生設備を取り外す必要も無い。従って、本発明に係る配管ユニットにおいては、保守点検作業に掛かる手間が従来に比べて少ない。
【発明を実施するための最良の形態】
【０００９】
本発明の実施例に係る配管ユニットを説明する。
【実施例１】
【００１０】
図１、２に示すように、４本の倒置Ｌ形状の縦フレーム１が、水平脚１ａの自由端を壁面１００に対峙させ、垂直脚１ｂの下端を床面２００に対峙させて、洗面所、トイレルーム等の壁際に配設されている。複数の横フレーム２が配設され、４本の縦フレーム１を互いに連結して一体化させている。縦フレーム１と横フレーム２とが協働して、配管収容フレームＡを形成している。
縦フレーム１の頂部を覆う天板３と、縦フレーム１、横フレーム２の前面を覆う上下二分割の前面板４、５とが配設されている。
上前面板４は、中央２本の縦フレーム１の上部と中部とに固定された支持部材６が有する上向きの係止爪６ａに、上前面板４の上部と下部とに固定された下向きの係止爪７を上方から弾性係合させて、前記中央２本の縦フレーム１に係止されている。
上側の係止爪７の頂部フランジ７ａに螺合する位置調整ボルト８が上側の係止爪６の頂部フランジ６ｂの上面に当接している。図示しないドライバーを用いて位置調整ボルト８を回動させることにより、上前面板４の上下方向位置を微調整することができる。
上前面板４に、手洗器３００が取り付けられる。
【００１１】
下前面板５は、図１〜３から分かるように、中央２本の縦フレーム１の下部に取り付けられた支持部材９が有する上下２個の凹部９ａに、下前面板５が有する上下それぞれ２個の凸部５ａを弾性嵌合させて、前方へ水平に取り外し可能に、前記中央２本の縦フレーム１に係止されている。
中央２本の縦フレーム１の下部に且つ支持部材９の頂部よりも上方に固定されたＬ型部材１０を遊動可能に貫通し頭部がＬ型部材１０に当接する位置調整ボルト１１が、支持部材９の頂部フランジ９ｂに螺合することにより、支持部材９は縦フレーム１に吊り下げられた状態で取り付けられている。図示しないドライバーを用いて位置調整ボルト１１を回動させることにより、支持部材９の上下方向位置を微調整することが可能であり、ひいては支持部材９に係止された下前面板５の上下方向位置を微調整することができる。
【００１２】
上側前面板４の下縁部裏面に裏当て板１２が取り付けられている。裏当て板１２は上側前面板４の下縁よりも下方まで延在している。下側前面板５の上縁部裏面が裏当て板１２に当接している。
【００１３】
上記構成を有する本実施例に係る配管ユニットにおいては、前面板４、５を縦フレーム１に取り付ける際に、図示しないドライバーを用いて位置調整ボルト８、１１を回動させて、前面板４、５の上下方向位置を微調整し、上前面板４の下縁と下前面板５の上縁とを密着させ、且つ側方に互いに隣接する複数対の前面板４、５の境界線を互いに整列させる。
【００１４】
本実施例に係る配管ユニットにおいては、下側前面板５は前方へ水平に取り外し可能に支持部材９に係止されるので、保守点検時に下側前面板５を取り外す際に、下側前面板５に先立って上側前面板４を取り外す必要が無く、上側前面板４に通常取り付けられている洗面器等の衛生設備を上側前面板４から取り外す必要も無い。従って、本実施例に係る配管ユニットにおいては、保守点検作業に掛かる手間が従来に比べて少ない。
本実施例に係る配管ユニットにおいては、支持部材９が有する凹部９ａに下側前面板５が有する凸部５ａが弾性嵌合することにより、下側前面板５が支持部材９に係止されるので、下側前面板５の支持部材９への着脱が容易である。
下側前面板５を縦フレーム１に安定的に取り付けるために、複数の凹部９ａを縦フレーム１側に配設し、凹部９ａに弾性嵌合する複数の凸部５ａを下側前面板５側に配設する必要がある。一つの支持部材９が一つの凹部９ａを有する場合には、凹部９ａと同数の支持部材９の上下方向位置を調整する必要があるが、本実施例に係る配管ユニットにおいては、一つの支持部材９が二つの凹部９ａを有しており、凹部９ａよりも少数の支持部材９の上下方向位置を調整すれば良いので、一つの支持部材９が一つの凹部９ａを有する場合に比べて、支持部材９の上下方向位置の調整手間が減り、配管ユニットの設置作業が容易になっている。
保守点検作業の完了後、下側前面板５を配管収容フレームＡに取り付ける際に、下側前面板５の上縁部裏面が裏当て板１２に当接して、下側前面板５の上縁部が上側前面板４の下縁部に対して面一になる。従って、保守点検後に上側前面板４と下側前面板５との境界部に段差ができるおそれは無い。
【実施例２】
【００１５】
図２に一点鎖線で示すように、Ｌ型部材１０、位置調整ボルト１１に代えて、左右の支持部材９を横部材１３で連結して一体化させ、追加配設した縦フレーム１’に固定したＬ型部材１０’を遊動可能に貫通する位置調整ボルト１１’を、横部材１３に螺合させる。
位置調整ボルト１１’を回動させて、左右の支持部材９の上下方向位置の微調整を一括して行なう。
下側前面板５を係止する複数の係止部、具体的には凹部９ａを有する、一対の支持部材９と横部材１３とから成る一つの支持部材を、一つの下側前面板５に対応して配設すれば、最小の手間で下側前面板５の上下方向位置調整を行なうことができ、且つ下側前面板５を配管収容フレームＡに安定的に取り付けることができる。この結果、配管ユニットの設置作業が更に容易になる。
【実施例３】
【００１６】
下側前面板５を前方へ水平に取り外し可能に支持部材９に係止する手段として、支持部材９が有する凸部に下側前面板５が有する凹部を弾性嵌合させても良い。
【産業上の利用可能性】
【００１７】
本発明は、配管ユニットに広く利用可能である。
【図面の簡単な説明】
【００１８】
【図１】本発明の第１実施例に係る配管ユニットの断面図である。
【図２】本発明の第１実施例に係る配管ユニットの、前面板を取り除いた状態での正面図である。
【図３】本発明の第１実施例に係る配管ユニットの、部分拡大分解断面図である。
【符号の説明】
【００１９】
１、１’  縦フレーム
１ａ  水平脚
１ｂ  垂直脚
２  横フレーム
３  天板
４  上前面板
５  下前面板
５ａ  凸部
６、７  係止爪
８、１１、１１’  位置調整ボルト
９  支持部材
９ａ  凹部
１２  裏当て板
１３  横部材
Ａ  配管収容フレーム
【図１】
2006299529.tif 000003
【図２】
2006299529.tif 000004
【図３】
2006299529.tif 000005